(57)【特許請求の範囲】
【請求項１】
モータ（５１）への供給電力を制御して前記モータ（５１）の駆動および停止を行うモータ駆動装置であって、
電源供給部と、
前記電源供給部より供給された電力を、前記モータ（５１）を駆動するための駆動電力に変換するインバータ（２５）と、
前記電源供給部と前記インバータ（２５）との間で、前記モータ（５１）の起動後に流れるモータ電流を検出する電流検出部（２４）と、
前記インバータ（２５）を制御する制御部（３０）と、
を備え、
前記モータ（５１）は、ブラシレスDCモータであり、
前記制御部（３０）は、前記モータ（５１）を起動後、ロータ位置センサレス制御によって、前記電流検出部（２４）において実際に検出された前記モータ電流からｄ軸電流Ｉｄを演算してＩｄ＝０となる制御を行って前記モータ（５１）を駆動し、
さらに、前記制御部（３０）は、前記モータ（５１）を停止させる際、前記モータ（５１）の回転数が所定回転数に低下するまで前記インバータ（２５）を運転し続け、前記モータ（５１）の回転数を所定回転数まで低下させた後に前記インバータ（２５）を停止する、
モータ駆動装置（２０）。
【請求項２】
前記制御部（３０）は、前記モータ（５１）の回転数を所定回転数まで低下させている途中で運転指令を受けたとき、前記ロータ位置センサレス制御を継続する、
請求項１に記載のモータ駆動装置（２０）。
【請求項３】
前記制御部（３０）は、前記インバータ（２５）を停止させた後に運転指令を受けたとき、前記モータ（５１）のロータ位置によらずに所定電圧および所定周波数を出力して前記モータ（５１）を駆動する起動動作を行なう、
請求項１又は請求項２に記載のモータ駆動装置（２０）。
【請求項４】
前記制御部（３０）は、前記インバータ（２５）を停止させた後に運転指令を受けたとき、前記モータ（５１）のロータ位置を固定する動作を行なってから、所定電圧および所定周波数を出力する、
請求項３に記載のモータ駆動装置（２０）。
【請求項５】
前記所定回転数は、前記モータ（５１）が前記ロータ位置センサレス制御によって起動したときに前記インバータ（２５）への過電圧および／または過電流および／または脱調を引き起こさせない回転数である、
請求項１から請求項４のいずれか１項に記載のモータ駆動装置。
【請求項６】
前記制御部（３０）は、前記インバータ（２５）、前記モータ（５１）、もしくは前記モータ（５１）の負荷に異常が生じたとき、前記モータ（５１）の回転数を前記所定回転数まで低下させることなく前記モータ（５１）の駆動動作を停止する、
請求項１から請求項５のいずれか１項に記載のモータ駆動装置（２０）。
【請求項７】
前記制御部（３０）は、前記モータ（５１）の巻き線に逆起電力が発生したときに生じる電流を前記巻き線へ還流させる還流動作を行なわせる、
請求項６に記載のモータ駆動装置（２０）。
【請求項８】
前記モータ（５１）の駆動動作の停止時に、前記モータ（５１）を制動する力が生じるように電流を前記モータ（５１）の巻き線に流す制動回路をさらに備える、
請求項６に記載のモータ駆動装置（２０）。
【請求項９】
前記制御部（３０）は、前記モータ（５１）の駆動動作の停止時に、前記インバータ（２５）を停止させる、
請求項６に記載のモータ駆動装置（２０）。
【請求項１０】
ファンを回転させるモータを、請求項１から請求項９のいずれか１項に記載のモータ駆動装置（２０）によって制御する、
ファン制御装置。
【請求項１１】
ヒートポンプ式の空気調和機であって、
室内ファンを有する室内ユニットと、
前記室内ファンを回転させるモータを制御する、請求項１から請求項９のいずれか１項に記載のモータ駆動装置（２０）と、
を備える、
空気調和機。
【請求項１２】
前記モータ駆動装置（２０）は、前記空気調和機内の冷媒制御系のいずれかに異常が生じたとき、前記モータ（５１）の回転数を前記所定回転数まで低下させることなく前記モータ（５１）の駆動動作を停止する、
請求項１１に記載の空気調和機。
【発明の詳細な説明】
【技術分野】
【０００１】
本発明は、モータ駆動装置に関する。
【背景技術】
【０００２】
ヒートポンプ式空気調和装置の室内機には、室内ファン、及び室内ファンからの送風によって冷媒と空気との間で熱交換を行わせる室内熱交換器が搭載されており、その室内ファンの駆動源として、高効率に駆動できるブラシレスＤＣモータが広く採用されている。
【０００３】
また近年ではその駆動方式として、ホールＩＣなどの位置センサをモータから削除する代わりに駆動回路においてロータ位置を推定することで、より低コストにモータ駆動装置を構成できる、いわゆるロータ位置センサレス方式が適用されることも多い。
【０００４】
上記のような室内機では、室内ファンはモータが運転停止した後も慣性によって回転していることがあり、そのような状態から再起動する場合には、インバータへの過電圧や過電流などの異常を発生させる恐れがある。
【０００５】
上記のような懸念を解消するために、例えば特許文献１（特開２００５−１３７１０６号公報）に開示されている制御装置は、モータ端子電圧からファンの回転数や位相を検出して、それらに応じた起動を行っている。
【発明の概要】
【発明が解決しようとする課題】
【０００６】
しかしながら、特許文献１に開示されているような方法は、新たに検出回路が必要となるので回路コストが高くなる上に、回路素子やモータの電気的特性ばらつきによって、正確なロータ位置検出ができない可能性もある。
【０００７】
本発明の課題は、モータが運転停止後も慣性によって回転している状態から再起動する場合に、インバータへの過電圧や過電流などの異常を発生させずにモータを起動させることができるモータ駆動装置を提供することにある。
【課題を解決するための手段】
【０００８】
本発明の第１観点に係るモータ駆動装置は、モータへの供給電力を制御してモータの駆動および停止を行うモータ駆動装置であって、電源供給部と、インバータと、電流検出部、制御部とを備えている。インバータは、電源供給部より供給された電力を、モータを駆動するための駆動電力に変換する。電流検出部は、電源供給部とインバータとの間で、モータの起動後に流れるモータ電流を検出する。モータは、ブラシレスDCモータである。制御部は、インバータを制御する。また、制御部は、モータを起動後、ロータ位置センサレス制御によって、電流検出部において実際に検出されたモータ電流からｄ軸電流Ｉｄを演算してＩｄ＝０となる制御を行ってモータ駆動する。さらに、制御部は、モータを停止させる際、モータの回転数が所定回転数に低下するまでインバータを運転し続け、モータの回転数を所定回転数まで低下させた後にインバータを停止する。
【０００９】
インバータを停止した直後にモータを再起動させるような状態を想定したとき、モータの回転数を低減せずにインバータを停止した場合には、回転数が高いために巻線に誘起される電圧が高く、回転エネルギーも大きいため、モータ再起動時に回転状態に合わせた適切な駆動が行なわれないと、昇圧動作が行なわれてインバータに過電圧が印加される、或いは、インバータに過電流が流れる可能性が高い。
【００１０】
しかし、このモータ駆動装置では、モータの回転数を所定回転数まで低下させた後にインバータを停止することによって、モータを再起動させるときの回転数は所定回転数以下となっているので、停止前の回転数と同じ回転数もしくは回転数がさほど低下していない状態で回転しているモータを再起動する場合と比較して、上記のような問題が発生する可能性は低く、安全かつ安定した再起動を行なうことができる。
【００１１】
また、ブラシレスDCモータは、ブラシモータに比べて被回転体の慣性で回転し続ける時間が長いので、慣性で回転している途中で再起動される機会も多い。それゆえ、モータ再起動時に昇圧動作が行なわれてインバータに過電圧が印加される、或いは、インバータに過電流が流れる、若しくは、モータが脱調する可能性が高い。また、誘導モータと比較すると、ロータ位置を検出してそれに応じた波形出力を行なう必要があるため、インバータ停止中のロータ位置を検出するための回路が必要となり、回路コストが高くなると共に、磁石による誘起電圧が存在するためにインバータ停止状態で回転している時の誘起電圧が高く、モータ再起動時にインバータに過電圧が印加される、或いは、インバータに過電流が流れる、若しくは、モータが脱調する可能性が高い。しかし、本発明の第１観点に係るモータ駆動装置がブラシレスDCモータに適用されることによって、上記のような問題が発生する可能性は低くなり、安全かつ安定した再起動を行なうことができる。
【００１２】
モータはロータ位置センサレス制御で駆動するので、インバータ停止後のロータ位置の推定はできない。それゆえ、特にインバータを停止した直後に高回転状態からモータを再起動させるような状態を想定したとき、モータ再起動時にロータ位置や回転数に合わせた適切な駆動が行なわれないと、インバータに過電圧が印加される、或いは、インバータに過電流が流れる、若しくは、モータが脱調する可能性が高いため、安定した再起動を行なうためには、インバータ停止中のロータ位置を検出あるいは推定するための回路や制御が必要となり、回路コストが高くなったり制御が複雑になってしまう。しかし、本発明の第１観点に係るモータ駆動装置がブラシレスDCモータに適用されることによって、インバータ停止中のロータ位置検出回路やロータ位置推定制御を付加しなくても、上記のような問題が発生する可能性は低くなり、安全かつ安定した再起動を行なうことができる。
【００１３】
本発明の第２観点に係るモータ駆動装置は、第１観点に係るモータ駆動装置であって、制御部が、モータの回転数を所定回転数まで低下させている途中で運転指令を受けたとき、ロータ位置センサレス制御を継続する。
【００１４】
このモータ駆動装置では、インバータが停止するまではロータ位置推定が継続されているので、運転指令を受けた時点からロータ位置センサレス制御の継続が可能であり、先に示した問題点を発生させないのはもちろんのこと、再起動時の不連続動作や異音などを発生させることもなく、安定した駆動を続けることができる。
【００１５】
本発明の第３観点に係るモータ駆動装置は、第１観点または第２観点に係るモータ駆動装置であって、制御部が、インバータを停止させた後に運転指令を受けたとき、モータのロータ位置によらずに所定電圧および所定周波数を出力してモータを駆動する起動動作を行なう。
【００１６】
このモータ駆動装置では、起動時の回転数が所定回転数まで低下しているため、モータのロータ位置によらずに所定電圧および所定周波数を出力してモータを駆動する起動動作を行なったとしても、再起動時に過電圧、過電流、および脱調を発生させずに同期引き込みを行なうことができ、安定した起動動作を行なうことができる。
【００１７】
本発明の第４観点に係るモータ駆動装置は、第３観点に係るモータ駆動装置であって、制御部が、インバータを停止させた後に運転指令を受けたとき、モータのロータ位置を固定する動作を行なってから、所定電圧および所定周波数を出力する。高回転状態でロータ位置固定動作を行なった場合には、大きな制動トルクがかかることにより、インバータの過電圧や過電流が発生する恐れがあるが、このモータ制御装置では、低回転状態からロータ固定動作を行なうため、そのような不具合が発生する恐れがない。
【００１８】
また、このモータ駆動装置では、ロータの回転が停止し、既知の固定位置から再起動されることになるので、ロータ位置固定後の再起動動作においても、適切に同期引き込みが行なわれ、過電圧、過電流、および脱調が発生する可能性が低く確実な起動を行なうことができる。
【００１９】
本発明の第５観点に係るモータ駆動装置は、第１観点から第４観点のいずれか１つに係るモータ駆動装置であって、所定回転数が、モータがロータ位置センサレス制御によって起動したときにインバータへの過電圧および／または過電流および／またはモータの脱調を引き起こさせない回転数である。
【００２０】
慣性で回転しているモータを再起動するとき、ロータ位置センサレス制御では起動前の回転数を推定できないので、インバータに過電圧および／または過電流および／またはモータの脱調を引き起こさせない回転数になったときに再起動することが好ましい。
【００２１】
このモータ駆動装置では、インバータを停止する際に、モータの回転数を、ロータ位置センサレス制御によって起動したときにインバータに過電圧および／または過電流および／またはモータの脱調を引き起こさせない回転数まで低減しておくことによって、再起動時の回転数がそれ以上になることはないので、上述のような不具合を発生させることがない。
【００２２】
本発明の第６観点に係るモータ駆動装置は、第１観点から第５観点のいずれか１つに係るモータ駆動装置であって、制御部が、インバータ、モータ、もしくはモータの負荷の少なくともいずれかに異常が生じたとき、モータの回転数を所定回転数まで低下させることなくモータの駆動動作を停止する。
【００２３】
このモータ駆動装置では、インバータおよびモータが異常のときは、モータを所定回転数まで低減するまでの間駆動し続けると、インバータおよびモータが損傷する可能性があるので、速やかにモータ駆動動作を停止することによって損傷を防止する。
【００２４】
本発明の第７観点に係るモータ駆動装置は、第６観点に係るモータ駆動装置であって、制御部が、モータの巻き線に逆起電力が発生したときに生じる電流を巻き線へ還流させる還流動作を行なわせる。
【００２５】
このモータ駆動装置では、モータ駆動動作を停止したとき、モータの巻き線に逆起電力が発生するが、還流動作を行なわせることによって、逆起電力によって生じる電流が還流回路内を流れて消費されるので、インバータに過電圧が印加される、或いは、インバータに過電流が流れるような事態が回避されると共に、モータを迅速に停止することが可能となる。この動作は、モータあるいはモータの負荷に異常が生じた場合や、インバータに過電圧が発生した場合に、更なる過電圧状態を発生させずにモータを迅速に停止することができるため、特に有用である。
【００２６】
本発明の第８観点に係るモータ駆動装置は、第６観点に係るモータ駆動装置であって、モータの駆動動作の停止時に、モータを制動する力が生じるように電流をモータの巻き線に流す制動回路をさらに備えている。
【００２７】
このモータ駆動装置では、モータ駆動動作の停止時、モータの巻き線にはモータを制動する電流が流れ、モータは速やかに停止する。このような動作を行なえば、モータ停止時の回生動作がないので、インバータに過電圧が印加されるような事態は回避される。そのため、この動作は、モータあるいはモータの負荷に異常が生じた場合や、インバータに過電圧や過電流が発生した場合に有用である。
【００２８】
本発明の第９観点に係るモータ駆動装置は、第６観点に係るモータ駆動装置であって、モータの駆動動作の停止時に、インバータを停止させる。具体的には、インバータを構成するスイッチング素子を全てオフにすることになるが、この動作は、インバータが異常状態にある場合（例えば短絡故障している場合）に、異常状態（例えば短絡状態）を回避できる可能性があるため、有用である。
【００２９】
本発明の第１０観点に係るファン制御装置は、ファンを回転させるモータを、第１観点から第９観点のいずれか１つに係るモータ駆動装置によって制御する。
【００３０】
ファンは、運転停止後もその慣性によってモータを回転させるので、モータが完全に停止する前に再起動した場合、インバータに過電圧が印加される、或いは、インバータに過電流が流れる、若しくは、モータが脱調する可能性が高い。
【００３１】
しかし、このファン制御装置では、モータ駆動装置がモータの回転数を所定回転数まで低下させた後にインバータを停止することによって、モータを再起動させるときの回転数は所定回転数以下となっているので、停止前の回転数もしくはさほど回転数が低下しない状態と同じ回転数で回転しているモータを再起動する場合と比較して、上記のような問題が発生する可能性は低く、安全かつ安定した再起動を行なうことができる。
【００３２】
一般にファンは慣性モーメントが大きく、高回転状態でインバータを停止させてから減速していくのにかかる時間が大きいが、このファン制御装置では、インバータ停止状態での減速レートと同等あるいは若干遅い減速レートで制御状態を継続しながら減速することにより、実際の動きをほとんど変えずに、インバータの電圧定格を越えるような昇圧動作を行なわずにファンモータを停止させることができると共に、停止までの間に再度運転指令が入力された場合における安定した再起動動作を実現することが可能となる。
【００３３】
本発明の第１１観点に係る空気調和機は、ヒートポンプ式の空気調和機であって、室内ファンを有する室内ユニットと、室内ファンを回転させるモータを制御する、第１観点から第９観点のいずれか１つに係るモータ駆動装置とを備えている。
【００３４】
室内ファンは、運転停止後もその慣性によってモータを回転させるので、モータが完全に停止する前に再起動した場合、インバータに過電圧が印加される、或いは、インバータに過電流が流れる、若しくは、モータが脱調する可能性が高い。
【００３５】
しかし、この空気調和機では、モータ駆動装置がモータの回転数を所定回転数まで低下させた後にインバータを停止することによって、モータを再起動させるときの回転数は所定回転数以下となっているので、停止前の回転数もしくはさほど回転数が低下しない状態と同じ回転数で回転しているモータを再起動する場合と比較して、上記のような問題が発生する可能性は低く、安全かつ安定した再起動を行なうことができる。
【００３６】
また、特に空気調和機の室内機においては、例えばユーザのリモコン操作に対してすぐに応答することが求められるが、本発明の空気調和機では減速中の再起動を速やかに行なうことができるので、ユーザの要求に応じた動作を実現することができる。更に、誤操作により間違って停止操作を行なってしまい、すぐに再度運転操作を行なうような事態が発生した場合においても、速やかに安定して再起動／運転継続できるため、ユーザの本来の要求に応じた動作とすることができる。
【００３７】
本発明の第１２観点に係る空気調和機は、第１１観点に係る空気調和機であって、モータ駆動装置が、空気調和機内の冷媒制御系のいずれかに異常が生じたとき、モータの回転数を所定回転数まで低下させることなくモータの駆動動作を停止する。
【００３８】
この空気調和機では、空気調和機内の冷媒制御系のいずれかに異常が生じたとき、モータを所定回転数まで低減するまでの間駆動し続けると、冷媒制御系の動作が継続されて冷媒系部品が損傷する可能性があるので、速やかにモータ駆動動作を停止することによって損傷を防止する。
【発明の効果】
【００３９】
本発明の第１観点に係るモータ駆動装置では、モータの回転数を所定回転数まで低下させた後にインバータを停止することによって、モータを再起動させるときの回転数は所定回転数以下となっているので、停止前の回転数と同じ回転数もしくは回転数がさほど低下していない状態で回転しているモータを再起動する場合と比較して、過電圧、過電流、および脱調のような問題が発生する可能性は低く、安全かつ安定した再起動を行なうことができる。
【００４０】
また、インバータに過電圧が印加される、或いは、インバータに過電流が流れる、若しくは、モータが脱調するというような問題が発生する可能性は低くなり、安全かつ安定した再起動を行なうことができる。
【００４１】
さらに、インバータ停止中のロータ位置検出回路やロータ位置推定制御を付加しなくても、インバータに過電圧が印加される、或いは、インバータに過電流が流れる、若しくは、モータが脱調するというような問題が発生する可能性は低くなり、安全かつ安定した再起動を行なうことができる。
【００４２】
本発明の第２観点に係るモータ駆動装置では、インバータが停止するまではロータ位置推定が継続されているので、ロータ位置センサレス制御の継続が可能であり、先に示した問題点を発生させないのはもちろんのこと、再起動時の不連続動作や異音などを発生させることもなく、安定した駆動を続けることができる。
【００４３】
本発明の第３観点に係るモータ駆動装置では、起動時の回転数が所定回転数まで低下しているため、モータのロータ位置によらずに所定電圧および所定周波数を出力してモータを駆動する起動動作を行なったとしても、再起動時に過電圧、過電流、および脱調を発生させずに同期引き込みを行なうことができ、安定した起動動作を行なうことができる。
【００４４】
本発明の第４観点に係るモータ駆動装置では、低回転状態からロータ固定動作を行なうため、ロータ固定時にインバータの過電圧や過電流などの不具合が発生する恐れがない。また、ロータの回転が停止し、既知の固定位置から再起動されることになるので、ロータ位置固定後の再起動動作においても、適切に同期引き込みが行なわれ、過電圧、過電流、および脱調が発生する可能性が低く確実な起動を行なうことができる。
【００４５】
本発明の第５観点に係るモータ駆動装置では、インバータを停止する際に、モータの回転数を、ロータ位置センサレス制御によって起動したときにインバータに過電圧および／または過電流および／またはモータの脱調を引き起こさせない回転数まで低減しておくことによって、再起動時の回転数がそれ以上になることはないので、上述のような不具合を発生させることがない。
【００４６】
本発明の第６観点に係るモータ駆動装置では、インバータおよびモータが異常のときは、モータを所定回転数まで低減するまでの間駆動し続けると、インバータおよびモータが損傷する可能性があるので、速やかにモータ駆動動作を停止することによって損傷を防止する。
【００４７】
本発明の第７観点に係るモータ駆動装置では、モータ駆動動作を停止したとき、モータの巻き線に逆起電力が発生するが、還流動作を行なわせることによって、逆起電力によって生じる電流が還流回路内を流れて消費されるので、インバータに過電圧が印加される、或いは、インバータに過電流が流れるような事態が回避されると共に、モータを迅速に停止することが可能となる。
【００４８】
本発明の第８観点に係るモータ駆動装置では、モータ駆動動作の停止時、モータの巻き線にはモータを制動する電流が流れ、モータは速やかに停止する。
【００４９】
本発明の第９観点に係るモータ駆動装置では、インバータが異常状態にある場合（例えば短絡故障している場合）に、異常状態（例えば短絡状態）を回避できる可能性がある。
【００５０】
本発明の第１０観点に係るファン制御装置では、モータ駆動装置がモータの回転数を所定回転数まで低下させた後にインバータを停止することによって、モータを再起動させるときの回転数は所定回転数以下となっているので、慣性モーメントの大きなファンを負荷とする場合においても、停止前の回転数もしくはさほど回転数が低下しない状態と同じ回転数で回転しているモータを再起動する場合と比較して、安全かつ安定した再起動を行なうことができる。
【００５１】
本発明の第１１観点に係る空気調和機では、モータ駆動装置がモータの回転数を所定回転数まで低下させた後にインバータを停止することによって、モータを再起動させるときの回転数は所定回転数以下となっているので、停止前の回転数もしくはさほど回転数が低下しない状態と同じ回転数で回転しているモータを再起動する場合と比較して、安全かつ安定した再起動を行なうことができる。
【００５２】
本発明の第１２観点に係る空気調和機では、空気調和機内の冷媒制御系のいずれかに異常が生じたとき、冷媒系部品の損傷を防止することができる。
【図面の簡単な説明】
【００５３】
【図１】本発明の一実施形態に係るモータ駆動装置が採用されるシステムの全体構成と、モータ駆動装置の内部構成とを示すブロック図。
【図２】空気調和装置の室内機の構成図。
【図３】一例としてのセンサレス制御回路の構成図。
【図４】マイクロコンピュータがファンモータの停止指令を受けてからインバータを停止させるまでのファンモータの回転数の変化を示すグラフ。
【図５】マイクロコンピュータがファンモータの停止指令を受けてからインバータを停止させる前に再度運転指令を受けたときのファンモータの回転数の変化を示すグラフ。
【図６】モータ駆動装置が行う動作を示すフロー図。
【発明を実施するための形態】
【００５４】
以下、図面を参照しながら、本発明の実施形態について説明する。なお、以下の実施形態は、本発明の具体例であって、本発明の技術的範囲を限定するものではない。
【００５５】
（１）概要
図１は、本発明の一実施形態に係るモータ駆動装置２０が採用されるシステム１００の全体構成と、モータ駆動装置２０の内部構成とを示すブロック図である。図１において、ファンモータ５１は、空気調和機１の室内機１０（図２参照）に搭載される室内ファン１５駆動用のブラシレスＤＣモータである。モータ駆動装置２０も、室内機１０内に搭載される。
【００５６】
（１−１）室内機１０
図２は、空気調和機１の室内機１０の構成図である。図２において、室内機１０は、ヒートポンプ式空気調和機の室内機であって、室内熱交換器１４と室内ファン１５とを有している。室内熱交換器１４は、冷媒配管５によって室外機３と接続され、冷凍サイクルが構成されている。この冷凍サイクルとそれらの動作を制御する制御装置により、冷媒制御系が構成される。
【００５７】
室内ファン１５は、クロスフローファンであって、回転により室内機１０の吸込口からの室内空気を吸い込み、室内熱交換器１４に送風することで熱交換を行なう。
【００５８】
（１−２）ファンモータ５１
ファンモータ５１は、３相のブラシレスＤＣモータであって、ステータ５２と、ロータ５３とを備えている。ステータ５２は、スター結線されたＵ相、Ｖ相及びＷ相の駆動コイルＬｕ，Ｌｖ，Ｌｗを含む。各駆動コイルＬｕ，Ｌｖ，Ｌｗの一方端は、それぞれインバータ２５から延びるＵ相、Ｖ相及びＷ相の各配線の駆動コイル端子ＴＵ，ＴＶ，ＴＷに接続されている。各駆動コイルＬｕ，Ｌｖ，Ｌｗの他方端は、互いに端子ＴＮとして接続されている。これら３相の駆動コイルＬｕ，Ｌｖ，Ｌｗは、ロータ５３が回転することによりその回転速度とロータ５３の位置に応じた誘起電圧を発生させる。
【００５９】
ロータ５３は、Ｎ極及びＳ極からなる複数極の永久磁石を含み、ステータ５２に対し回転軸を中心として回転する。ロータ５３の回転は、この回転軸と同一軸心上にある出力軸（図示せず）を介して室内ファン１５に出力される。
【００６０】
（２）モータ駆動装置２０の構成
モータ駆動装置２０は、図１に示すように、商用電源９１、整流部２１及び平滑コンデンサ２２により直流電源として構成された電源供給部と、電圧検出部２３と、電流検出部２４と、インバータ２５と、ゲート駆動回路２６と、センサレス制御回路２９と、マイクロコンピュータ３０とを備えている。これらは、例えば１枚のプリント基板上に実装される。
【００６１】
（２−１）整流部２１
整流部２１は、４つのダイオードＤ１ａ，Ｄ１ｂ，Ｄ２ａ，Ｄ２ｂによってブリッジ状に構成されている。具体的には、ダイオードＤ１ａとＤ１ｂ、Ｄ２ａとＤ２ｂは、それぞれ互いに直列に接続されている。ダイオードＤ１ａ，Ｄ２ａの各カソード端子は、共に平滑コンデンサ２２のプラス側端子に接続されており、整流部２１の正側出力端子として機能する。ダイオードＤ１ｂ，Ｄ２ｂの各アノード端子は、共に平滑コンデンサ２２のマイナス側端子に接続されており、整流部２１の負側出力端子として機能する。
【００６２】
ダイオードＤ１ａ及びダイオードＤ１ｂの接続点は、商用電源９１の一方の極に接続されている。ダイオードＤ２ａ及びダイオードＤ２ｂの接続点は、商用電源９１の他方の極に接続されている。整流部２１は、商用電源９１から出力される交流電圧を整流して直流電源を生成し、これを平滑コンデンサ２２へ供給する。
【００６３】
（２−２）平滑コンデンサ２２
平滑コンデンサ２２は、一端が整流部２１の正側出力端子に接続され、他端が整流部２１の負側出力端子に接続されている。平滑コンデンサ２２は、整流部２１によって整流された電圧を平滑する。以下、説明の便宜上、平滑コンデンサ２２による平滑後の電圧を“平滑後電圧Ｖｆｌ”という。
【００６４】
平滑後電圧Ｖｆｌは、平滑コンデンサ２２の出力側に接続されるインバータ２５へ印加される。言い換えれば、商用電源９１、整流部２１、及び平滑コンデンサ２２は、インバータ２５に対する電源供給部を構成している。
【００６５】
なお、コンデンサの種類としては、電解コンデンサやセラミックコンデンサ、タンタルコンデンサ等が挙げられるが、本実施形態においては、平滑コンデンサ２２として電解コンデンサが採用される。
【００６６】
（２−３）電圧検出部２３
電圧検出部２３は、平滑コンデンサ２２の出力側に接続されており、平滑コンデンサ２２の両端電圧、即ち平滑後電圧Ｖｆｌの値を検出するためのものである。電圧検出部２３は、例えば、互いに直列に接続された２つの抵抗が平滑コンデンサ２２に並列接続され、平滑後電圧Ｖｆｌが分圧されるように構成される。それら２つの抵抗同士の接続点の電圧値は、センサレス制御回路２９に入力される。
【００６７】
（２−４）電流検出部２４
電流検出部２４は、平滑コンデンサ２２及びインバータ２５の間であって、かつ平滑コンデンサ２２の負側出力端子側に接続されている。電流検出部２４は、ファンモータ５１の起動後、ファンモータ５１に流れるモータ電流Ｉｍを三相分の電流の合計値として検出する。
【００６８】
電流検出部２４は、例えば、シャント抵抗及び該抵抗の両端の電圧を増幅させるオペアンプを用いた増幅回路で構成されてもよい。電流検出部２４によって検出されたモータ電流は、センサレス制御回路２９に入力される。
【００６９】
（２−５）インバータ２５
インバータ２５は、平滑コンデンサ２２の出力側に接続される。図１において、インバータ２５は、複数のＩＧＢＴ（絶縁ゲート型バイポーラトランジスタ、以下、単にトランジスタという）Ｑ３ａ，Ｑ３ｂ，Ｑ４ａ，Ｑ４ｂ，Ｑ５ａ，Ｑ５ｂ及び複数の還流用ダイオードＤ３ａ，Ｄ３ｂ，Ｄ４ａ，Ｄ４ｂ，Ｄ５ａ，Ｄ５ｂを含む。
【００７０】
トランジスタＱ３ａとＱ３ｂ、Ｑ４ａとＱ４ｂ、Ｑ５ａとＱ５ｂは、それぞれ互いに直列に接続されており、各ダイオードＤ３ａ〜Ｄ５ｂは、各トランジスタＱ３ａ〜Ｑ５ｂに、トランジスタのコレクタ端子とダイオードのカソード端子が、また、トランジスタのエミッタ端子とダイオードのアノード端子が接続されるよう、並列接続されている。
【００７１】
インバータ２５は、平滑コンデンサ２２からの平滑後電圧Ｖｆｌが印加され、かつゲート駆動回路２６により指示されたタイミングで各トランジスタＱ３ａ〜Ｑ５ｂがオン及びオフを行うことによって、ファンモータ５１を駆動する駆動電圧ＳＵ，ＳＶ，ＳＷを生成する。この駆動電圧ＳＵ，ＳＶ，ＳＷは、各トランジスタＱ３ａとＱ３ｂ、Ｑ４ａとＱ４ｂ、Ｑ５ａとＱ５ｂの各接続点ＮＵ，ＮＶ，ＮＷからファンモータ５１に出力される。
【００７２】
（２−６）ゲート駆動回路２６
ゲート駆動回路２６は、センサレス制御回路２９からの指令Ｖｐｗｍに基づき、インバータ２５の各トランジスタＱ３ａ〜Ｑ５ｂのオン及びオフの状態を変化させる。具体的には、ゲート駆動回路２６は、センサレス制御回路２９によって決定されたデューティを有するパルス状の駆動電圧ＳＵ，ＳＶ，ＳＷがインバータ２５からファンモータ５１に出力されるように、各トランジスタＱ３ａ〜Ｑ５ｂのゲートに印加するゲート制御電圧Ｇｕ，Ｇｘ，Ｇｖ，Ｇｙ，Ｇｗ，Ｇｚを生成する。生成されたゲート制御電圧Ｇｕ，Ｇｘ，Ｇｖ，Ｇｙ，Ｇｗ，Ｇｚは、それぞれのトランジスタＱ３ａ〜Ｑ５ｂのゲート端子に印加される。
【００７３】
なお、本実施形態のインバータ２５は、電圧形インバータであるが、それに限定されるものではなく、マトリックスコンバータや電流形インバータでもよい。
【００７４】
（２−７）センサレス制御回路２９
センサレス制御回路２９は、電圧検出部２３、電流検出部２４、ゲート駆動回路２６及びマイクロコンピュータ３０と接続されている。センサレス制御回路２９は、マイクロコンピュータ３０から送られてきた回転数指令Ｖｆｇを含む運転指令に基づいて、ファンモータ５１をロータ位置センサレス方式にて駆動させる回路である。
【００７５】
ロータ位置センサレス方式とは、ファンモータ５１の特性を示す各種パラメータ、ファンモータ５１起動後の電圧検出部２３の検出結果、電流検出部２４の検出結果、及びファンモータ５１の制御に関する所定の数式モデル等を用いて、ロータ位置及び回転数の推定、回転数に対するＰＩ制御、モータ電流に対するＰＩ制御等を行いモータを駆動する方式である。ファンモータ５１の特性を示す各種パラメータとしては、使用されるファンモータ５１の巻線抵抗、インダクタンス成分、誘起電圧、極数などが挙げられる。
【００７６】
図３は、一例としてのセンサレス制御回路の構成図である。図３において、センサレス制御回路２９は、主として、モータモデル演算部２９ａ、ロータ位置推定部２９ｂ、運転時回転数推定部２９ｃ、ＬＰＦ２９ｄ、回転数制御部２９ｅ及び電流制御部２９ｆによって構成されている。
【００７７】
モータモデル演算部２９ａは、ファンモータ５１の特性を示す各種パラメータをモータモデルとして用いて、ファンモータ５１への指令電圧Ｖｐｗｍ、推定したロータ位置、推定した回転数から、モータ電流の理想値を演算する。
【００７８】
ロータ位置推定部２９ｂは、この理想値と、電流検出部２４によって実際に検出されたモータ電流Ｉｍとの間で減算処理された結果を入力として、現時点でのロータ位置を推定する。
【００７９】
運転時回転数推定部２９ｃは、推定されたロータ位置を用いて、現時点でのファンモータ５１の回転数を推定する。各推定部２９ｂ，２９ｃにおける推定結果は、モータ電流の理想値と実際のモータ電流Ｉｍとの差分を“０”にするべく補正処理が行われ、モータモデルの補正がなされる。ＬＰＦ２９ｄは、推定された回転数からノイズ成分及び高調波成分を除去する。ＬＰＦ２９ｄから出力されたファンモータ５１の回転数は、波形成形部２９ｇによって所望の回転数信号ＦＧとなり、マイクロコンピュータ３０に出力される。
【００８０】
また、ＬＰＦ２９ｄから出力されたファンモータ５１の回転数は、マイクロコンピュータ３０から送られてきた運転指令に含まれる回転数指令Ｖｆｇとの間で減算処理が行われる。回転数制御部２９ｅは、減算処理の結果が入力されると、回転数に対してＰＩ制御を行う。電流制御部２９ｆは、回転数制御部２９ｅによる制御結果であるｑ軸トルク電流指令Ｉｑ*と、例えばｄ軸電流指令Ｉｄが“０”となるような指令“Ｉｄ*＝０”と、電圧検出部２３により検出された電圧とに基づいて電流制御を行い、これらの指令に基づいた電流となるような指令電圧Ｖｐｗｍを生成する。このような電流制御部２９ｆの制御により、駆動電圧ＳＵ，ＳＶ，ＳＷのデューティを含む指令電圧Ｖｐｗｍが生成され、ゲート駆動回路２６に入力される。
【００８１】
このような構成を有するセンサレス制御回路２９は、マイクロコンピュータ３０及びゲート駆動回路２６等によってインバータ２５の制御が行われているときのみ、ロータ位置の推定を行うと言うことができる。インバータ２５の制御が行われているときとは、ファンモータ５１が起動指令によって起動し、駆動中であることに相当する。
【００８２】
言い換えれば、センサレス制御回路２９は、ファンモータ５１の起動前においては、ファンモータ５１の回転数やロータ位置を推定することができない。何故ならば、上述したように、ロータ位置センサレス方式では、モータ電流や指令電圧を回転数やロータ位置の推定に利用するため、起動前のファンモータ５１においてはロータ位置を推定することができないからである。
【００８３】
（２−８）マイクロコンピュータ３０
マイクロコンピュータ３０は、センサレス制御回路２９と接続されている。また、マイクロコンピュータ３０は、空気調和機１の各機器を統括して制御する図示しないシステム制御部とも接続されており、室内機１０を各機器における異常の有無に応じて、ファンモータ５１の駆動を制御する。それゆえ、マイクロコンピュータ３０は、制御部として機能する。
【００８４】
なお、このマイクロコンピュータ３０には、インバータ２５とは別の電源が、ファンモータ５１の駆動状態に関係なく常に供給される。
【００８５】
また、室内ファン１５は、運転停止後もその慣性によってファンモータ５１を回転させるので、ファンモータ５１が完全に停止する前に再起動する機会が多々あるうえに、先に説明した通り、ロータ位置センサレス方式では起動前のファンモータ５１のロータ位置を推定することができないので、例えば、インバータ２５を停止した直後にファンモータ５１を再起動させたとき、インバータ２５が昇圧動作を行なって過電圧が印加されたり、或いは、インバータに過電流が流れたり、若しくは、ファンモータ５１が脱調する可能性が高い。それゆえ、マイクロコンピュータ３０は、ファンモータ５１の運転を停止させる際に、その回転数を所定回転数まで低下させた後にインバータ２５を停止させるように制御している。
【００８６】
なお、マイクロコンピュータ３０は、インバータ２５を停止させた後に運転指令を受けたときは、ファンモータ５１のロータ位置によらずに所定電圧および所定周波数を出力してファンモータ５１を駆動する起動動作を行なっている。
【００８７】
起動時の回転数は、ファンモータ５１を起動したときにインバータ２５への過電圧および／または過電流および／またはファンモータ５１の脱調が引き起こされないような所定回転数まで低下しているため、上記のような起動を行なっても安定して起動動作を行なうことができる。
【００８８】
また、空気調和機１の室内機１０においては、ユーザのリモコン操作に対してすぐに応答することが求められるが、本発明によれば、減速中の再起動を速やかに行なうことができるので、ユーザの要求に応じた動作を実現することができる。
【００８９】
更に、誤操作により間違って停止操作を行なってしまい、すぐに再度運転操作を行なうような事態が発生した場合においても、速やかに安定して再起動／運転継続できるため、ユーザの本来の要求に応じた動作とすることができる。
【００９０】
但し、モータ駆動装置２０では、インバータ２５およびファンモータ５１もしくはファンモータ５１の負荷の少なくともいずれかに異常が生じたときは、ファンモータ５１の回転数を所定回転数まで低下させることなくモータ駆動動作を停止する。なぜなら、ファンモータ５１を速やかに停止することによって損傷、若しくは損傷の拡大を防止することができるからである。
【００９１】
なお、モータ駆動動作の停止時に、インバータ２５を構成するスイッチング素子を全てオフにすることにより、インバータ２５を停止する。この動作により、インバータ２５が異常状態にある場合（例えば短絡故障している場合）に、異常状態（例えば短絡状態）を回避できる可能性がある。具体的には、例えば１相短絡故障の場合には、スイッチング素子の駆動信号を全てオフとすることにより、短絡状態が回避される。
【００９２】
図４は、マイクロコンピュータ３０がファンモータ５１の停止指令を受けてからインバータ２５を停止させるまでのファンモータ５１の回転数の変化を示すグラフである。図１及び図４において、マイクロコンピュータ３０が運転停止の指令を受けたとき、センサレス制御回路２９に対して、停止指令を受ける前の指令である目標回転数１から回転数が所定回転数まで徐々に低減するための回転数指令を出す。その回転数指令に基づいて、センサレス制御回路２９はファンモータ５１の回転数が所定回転数に到達するまで、ゲート駆動回路２６への波形出力のオンを維持したままモータ駆動動作を行ない、所定回転数に到達したときにゲート駆動回路２６への波形出力をオフにする。
【００９３】
図５は、マイクロコンピュータ３０がファンモータ５１の停止指令を受けてからインバータ２５を停止させる前に再度運転指令を受けたときのファンモータ５１の回転数の変化を示すグラフである。図１、図４及び図５において、マイクロコンピュータ３０はファンモータ５１の停止指令を受けた後も、ファンモータ５１の回転数が所定回転数に到達するまで、ゲート駆動回路２６への波形出力のオンを維持しインバータ２５を停止していないので、インバータ２５を停止させる前に再度運転指令を受けたときは、ロータ位置センサレス方式によってファンモータ５１のロータ位置を推定できる状態であり、例えば所定の加速度で回転数指令を新たな指令である目標回転数２に近づけていき、目標回転数２到達後は回転数指令を一定に保つ。
【００９４】
ファンモータ５１に採用されるブラシレスDCモータは、ブラシモータに比べて被回転体の慣性で回転し続ける時間が長いので、慣性で回転している途中で再起動される機会も多い。また、誘導モータと比較すると、ロータ位置を検出してそれに応じた波形出力を行なう必要があるため、インバータ停止中のロータ位置を検出するための回路が必要となり、磁石による誘起電圧が存在するためにインバータ停止状態で回転している時の誘起電圧が高い。また、ファンモータ５１はロータ位置センサレス制御で駆動するので、インバータ２５停止後のロータ位置の推定はできない。
【００９５】
それゆえ、インバータ２５を停止した直後に高回転状態からファンモータ５１を再起動させるような状態を想定したとき、特にファンモータ５１の回転数を低減せずにインバータ２５を停止した場合には、回転数が高いために巻線に誘起される電圧が高く、回転エネルギーも大きいため、ファンモータ５１の再起動時にロータ位置や回転状態に合わせた適切な駆動が行なわれないと、昇圧動作が行なわれてインバータ２５に過電圧が印加される、或いは、インバータ２５に過電流が流れる可能性が高い。
【００９６】
しかし、図４に示すように、ファンモータ５１の回転数を所定回転数まで低下させた後にインバータ２５を停止することによって、ファンモータ５１を再起動させるときの回転数は所定回転数以下となっているので、停止前の回転数と同じ回転数もしくは回転数がさほど低下していない状態で回転しているファンモータ５１を再起動する場合と比較して、インバータ２５への過電圧、過電流、若しくは、ファンモータ５１の脱調などの不具合が発生する可能性は低く、安全かつ安定した再起動を行なうことができる。したがって、インバータ停止中のロータ位置検出回路やロータ位置推定制御を付加しなくてもよい。
【００９７】
また、図５に示すように、インバータ２５を停止させる前に再度運転指令を受けたときは、ロータ位置センサレス方式によってファンモータ５１のロータ位置を推定できる状態であり、先に示した問題点を発生させないのはもちろんのこと、再起動時の不連続動作や異音などを発生させることもなく、安定した駆動を続けることができる。
【００９８】
（３）動作
図６は、モータ駆動装置２０が行う動作の一例を示す制御フロー図である。以下、モータ駆動装置２０の動作について、図１及び図６を用いて説明する。
【００９９】
ステップＳ１，Ｓ４，Ｓ６：マイクロコンピュータ３０は、室内ファン１５の運転指令を取得しているとき（ステップＳ１のＹｅｓ）、回転数指令を出す（ステップＳ４）。センサレス制御回路２９は、マイクロコンピュータ３０からの回転数指令に基づいてゲート駆動回路への波形出力を行なうと共に、その波形出力状態を制御する（ステップＳ６）。
【０１００】
ステップＳ１〜Ｓ３：マイクロコンピュータ３０は、室内ファン１５の運転指令を取得していない、若しくは、取得しなくなったとき（ステップＳ１のＮｏ）、ファンモータ５１の回転数が所定回転数以下か否かを判定する（ステップＳ２）。ファンモータ５１の回転数が所定回転数以下であれば（ステップＳ２のＹｅｓ）、マイクロコンピュータ３０は、センサレス制御回路２９を介して、ゲート駆動回路２６への波形出力をオフする（ステップＳ３）、この場合、インバータ２５からは、駆動電圧ＳＵ，ＳＶ，ＳＷがファンモータ５１に出力されない。
【０１０１】
ステップＳ２，Ｓ５，Ｓ６：上記ステップＳ２において、ファンモータ５１の回転数が所定回転数より大きい場合（ステップＳ２のＮｏ）、具体的には、運転指令がなくなった後の所定回転数までの減速途中において、マイクロコンピュータ３０は回転数低減指令（ステップＳ５）を出し、センサレス制御回路２９は、マイクロコンピュータ３０からの回転数低減指令に基づいてゲート駆動回路への波形出力を継続すると共に、その波形出力状態を制御する（ステップＳ６）。
【０１０２】
（４）特徴
（４−１）
モータ駆動装置２０では、マイクロコンピュータ３０は、室内ファン１５を駆動するファンモータ５１を停止させる際、ファンモータ５１の回転数を所定回転数まで低下させた後にインバータ２５を停止する。ファンモータ５１はブラシレスＤＣモータであって、起動後はロータ位置センサレス制御によって駆動される。
【０１０３】
インバータ２５を停止した直後にファンモータ５１を再起動させるような状態を想定したとき、ファンモータ５１の回転数を低減せずにインバータ２５を停止した場合には、回転数が高いために巻線に誘起される電圧が高く、回転エネルギーも大きいため、ファンモータ５１再起動時に回転状態に合わせた適切な駆動が行なわれないと、昇圧動作が行なわれてインバータ２５に過電圧が印加される、或いは、インバータ２５に過電流が流れる、あるいは脱調する可能性が高い。
【０１０４】
しかし、このモータ駆動装置２０では、ファンモータ５１の回転数を所定回転数まで低下させた後にインバータ２５を停止することによって、ファンモータ５１を再起動させるときの回転数は所定回転数以下となっているので、停止前の回転数と同じ回転数もしくは回転数がさほど低下していない状態で回転しているファンモータ５１を再起動する場合と比較して、上記のような問題が発生する可能性は低く、安全かつ安定した再起動を行なうことができる。
【０１０５】
（４−２）
モータ駆動装置２０では、インバータ２５が停止するまではロータ位置推定が継続されているので、ファンモータ５１の回転数を所定回転数まで低下させている途中で運転指令をうけたとき、ロータ位置センサレス制御の継続が可能であり、先に示した問題点を発生させないのはもちろんのこと、再起動時の不連続動作や異音などを発生させることもなく、安定した駆動を続けることができる。
【０１０６】
（４−３）
モータ駆動装置２０では、マイクロコンピュータ３０がインバータ２５を停止させた後に運転指令を受けた場合、ファンモータ５１の回転数は所定回転数まで低下しているので、ファンモータ５１のロータ位置によらずに所定電圧および所定周波数を出力してファンモータ５１を駆動する起動動作を行なったとしても、再起動時に過電圧、過電流、および脱調を発生させずに同期引き込みを行なうことができ、安定した起動動作を行なうことができる。
【０１０７】
（４−４）
モータ駆動装置２０では、マイクロコンピュータ３０は、インバータ２５、ファンモータ５１、もしくはファンモータ５１の負荷の少なくともいずれかに異常が生じたとき、ファンモータ５１の回転数を所定回転数まで低下させることなくモータ駆動動作を停止する。
【０１０８】
なぜなら、ファンモータ５１を所定回転数まで低減するまでの間駆動し続けると、インバータ２５およびファンモータ５１、ファンモータ５１の負荷が損傷する可能性があるからである。それゆえ、速やかにモータ駆動動作を停止することによって損傷を防止する。
【０１０９】
（５）変形例
（５−１）第１変形例
上記実施形態では、インバータ２５停止後のファンモータ５１の回転数が所定回転数以下になっているので、再起動は安全に行なわれるが、理想としては、ファンモータ５１のロータが停止している状態から再起動することが好ましい。
【０１１０】
そこで、第１変形例に係るモータ駆動装置２０では、マイクロコンピュータ３０が、インバータ２５を停止させた後に運転指令を受けたとき、ファンモータ５１のロータ位置を固定する動作を行なってから、所定電圧および所定周波数を出力する。高回転状態でロータ位置固定動作を行なった場合には、大きな制動トルクがかかることにより、インバータ２５の過電圧や過電流が発生する恐れがあるが、低回転状態からロータ固定動作を行なうため、そのような不具合が発生する恐れがない。
【０１１１】
また、ファンモータ５１は、ロータの回転が停止し、既知の固定位置から再起動されることになるので、ロータ位置固定後の動作においても、適切に同期引き込みが行なわれ、過電圧、過電流、および脱調が発生する可能性が低く確実な起動を行なうことができる。
【０１１２】
（５−２）第２変形例
所定回転数まで減速しない状態でインバータ２５を停止したとき、ファンモータ５１の巻き線に逆起電力が発生し、インバータ２５に過電圧が印加される、或いは、過電流が流れる可能性がある。
【０１１３】
第２変形例に係るモータ駆動装置２０では、上記のような事態を回避するために、マイクロコンピュータ３０が、ファンモータ５１の巻き線に逆起電力が発生したときに生じる電流を巻き線へ還流させる還流動作を行なわせる。
【０１１４】
具体的には、図１において、下アームＩＧＢＴであるＱ３ｂ、Ｑ４ｂ、Ｑ５ｂをオンすることによって、逆起電力によって生じる電流が下アームＩＧＢＴもしくは還流用ダイオードＤ３ｂ、Ｄ４ｂ、Ｄ５ｂのいずれかを流れてモータとの間で還流されることで、回転エネルギーが消費される。
【０１１５】
その結果、インバータ２５に過電圧が印加される、或いは、インバータ２５に過電流が流れるような事態が回避されると共に、ファンモータ５１を迅速に停止することが可能となる。この動作は、ファンモータ５１あるいはファンモータ５１の負荷に異常が生じた場合や、インバータ２５に過電圧が発生した場合に、更なる過電圧状態を発生させずにファンモータ５１を迅速に停止することができるため、特に有用である。
【０１１６】
（６）その他の実施形態
（６−１）
モータ駆動装置２０は、ファンモータ５１の制動回路をさらに備えることが好ましい。制動回路は、インバータ２５の停止時に、ファンモータ５１を制動する力が生じるように電流をモータの巻き線に流す回路である。
【０１１７】
具体的には、直流部にブレーキ回路を設ける、或いは、巻き線を短絡するようなブレーキ回路を設けることによって、ファンモータ５１を制動する電流が流れ、ファンモータ５１は速やかに停止する。その結果、モータ停止時の回生動作がなく、インバータ２５に過電圧が印加されるような事態は回避される。この動作は、ファンモータ５１あるいはファンモータ５１の負荷に異常が生じた場合や、インバータ２５に過電圧や過電流が発生した場合に有用である。
【０１１８】
（６−２）
マイクロコンピュータ３０は、空気調和機１内の冷媒制御系のいずれかに異常が生じたとき、ファンモータ５１の回転数を所定回転数まで低下させることなくモータ駆動動作を停止する。
【０１１９】
なぜなら、空気調和機内の冷媒制御系のいずれかに異常が生じたときに、ファンモータ５１を所定回転数まで低減するまでの間駆動し続けると、冷媒制御系の動作が継続されて冷媒系部品が損傷する可能性があるからである。それゆえ、速やかにモータ駆動動作を停止することによって損傷若しくは損傷の拡大を防止することができる。
【産業上の利用可能性】
【０１２０】
以上のように本発明によれば、起動前のロータ位置が推定されないモータであっても、インバータへの過電圧や過電流、脱調などの異常を発生させずに起動することができるので、起動後にロータ位置センサレス制御で駆動されるモータに有用である。
【０１２１】
外力の影響を比較的受けにくいモータにおいては、起動前の回転状態検出回路等を設けなくても、安全に安定した再起動を行なうことができる範囲が広がるため、特に有用である。
【符号の説明】
【０１２２】
１  空気調和機
２０  モータ駆動装置
２５  インバータ
３０  マイクロコンピュータ
５１  ファンモータ
【先行技術文献】
【特許文献】
【０１２３】
【特許文献１】特開２００５−１３７１０６号公報
【図１】
0005539928.tif 000002
【図２】
0005539928.tif 000003
【図３】
0005539928.tif 000004
【図４】
0005539928.tif 000005
【図５】
0005539928.tif 000006
【図６】
0005539928.tif 000007